(57)【要約】  センサ分与機器は、検査センサがあるセンサパックを取り扱うようになされている。機器は、検査センサの１つを使用して検査を実行するようになされている。機器は取っ手、回路板アセンブリ、カバー機構、および押圧具アセンブリを備える。取っ手は待機位置、検査位置および延長位置をとることができる。回路板アセンブリは、その底面上に複数の接点を含む。カバー機構は複数のフィンガを含む。複数のフィンガのそれぞれは、少なくとも１つの底面接点と接触するようになされている。押圧具アセンブリは複数の傾斜接点を含む。取っ手が延長位置へと移動すると、傾斜接点の少なくとも１つがフィンガの少なくとも１つを移動させ、底面接点の少なくとも１つと接触させる。取っ手が延長位置へと移動すると、機器が電子的にＯＮ状態に切り換わる。
2008503729.tif 000002
【特許請求の範囲】
【請求項１】
複数のセンサを含むセンサパックを取り扱うようになされたセンサ分与機器であって、前記センサ分与機器がさらに、前記複数のセンサの１つを使用して検査を実行するようになされており、
待機位置、検査位置、および延長位置をとることができる取っ手と、
自身の底面上に複数の接点を含む回路板アセンブリと、
複数のフィンガを含むカバー機構にして、前記複数のフィンガのそれぞれが前記回路板アセンブリの前記複数の底面接点の少なくとも１つと接触するようになされているカバー機構と、
複数の傾斜接点を含む押圧具アセンブリと、を備え、
前記取っ手が前記延長位置へと移動すると、前記複数の傾斜接点の少なくとも１つが前記複数のフィンガの少なくとも１つを移動させて、前記複数の底面接点の少なくとも１つと接触させ、
前記取っ手が前記延長位置へと移動すると、前記センサ分与機器が電子的にＯＮ状態に切り換えられるようになされている、センサ分与機器。
【請求項２】
前記取っ手が前記待機位置から前記延長位置へと移動すると、前記センサ分与機器が電子的にＯＮ状態に切り換えられるようになされている、請求項１に記載の機器。
【請求項３】
前記取っ手が前記検査位置から前記延長位置へと移動すると、前記センサ分与機器が電子的にＯＮ状態に切り換えられるようになされている、請求項１に記載の機器。
【請求項４】
前記複数のフィンガの少なくとも１つが前記回路板アセンブリの前記底面接点の少なくとも１つと接触すると、前記取っ手の位置が前記センサ分与機器内で伝達される、請求項１に記載の機器。
【請求項５】
前記複数のフィンガのそれぞれが、前記回路板アセンブリの前記複数の底面接点の個々の接点と接触するようになされている、請求項１に記載の機器。
【請求項６】
前記複数のフィンガの数と前記複数の底面接点の数とが同じである、請求項１に記載の機器。
【請求項７】
前記複数のフィンガがちょうど３つのフィンガであり、前記複数の底面接点がちょうど３つの表面接点である、請求項１に記載の機器。
【請求項８】
前記複数の傾斜接点がちょうど２つの傾斜接点である、請求項７に記載の機器。
【請求項９】
さらに、外部ハウジング、ナイフブレード、およびアラームを含み、前記ナイフブレードは延長位置をとることができ、前記外部ハウジングが開位置にあり且つ前記取っ手が延長位置にある場合において、前記アラームが起動されて、前記ナイフブレードが前記延長位置にある可能性を示すようになされている、請求項１に記載の機器。
【請求項１０】
前記センサ分与機器が血糖メータである、請求項１に記載の機器。
【請求項１１】
前記複数のフィンガが金属で作製され、打ち抜き加工で形成されている、請求項１に記載の機器。
【請求項１２】
前記複数のフィンガがニッケルめっきした燐青銅を備える、請求項１に記載の機器。
【請求項１３】
前記複数のフィンガがステンレス鋼を備える、請求項１に記載の機器。
【請求項１４】
前記複数のフィンガが金属で作製され、前記カバー機構の残りの部分がポリカーボネートで作製されている、請求項１に記載の機器。
【請求項１５】
前記複数のフィンガが前記カバー機構の残りの部分にインサート成形されている、請求項１に記載の機器。
【請求項１６】
前記複数のフィンガのそれぞれが、隆起した凸状セクションを有する、請求項１に記載の機器。
【請求項１７】
前記複数のフィンガの少なくとも１つが永久的に上方向の位置にあり、したがって前記複数の傾斜接点がいずれも前記複数のフィンガの前記少なくとも１つを移動させないようになされている、請求項１に記載の機器。
【請求項１８】
複数のセンサを含むセンサパックを取り扱うようになされているセンサ分与機器であって、前記センサ分与機器がさらに、前記複数のセンサの１つを使用して検査を実行するようになされており、
自身の底面上に複数の接点を含む回路板アセンブリと、
複数のフィンガを含むカバー機構にして、前記複数のフィンガのそれぞれが前記回路板アセンブリの前記複数の底面接点の少なくとも１つと接触するようになされているカバー機構と、
複数の傾斜接点を含む押圧具アセンブリと、
前記複数の傾斜接点の少なくとも１つを移動させるようになされているモータと、を備え、
前記複数の傾斜接点の少なくとも１つは、移動すると、前記複数のフィンガの少なくとも１つを押して、前記複数の底面接点の少なくとも１つと接触させ、その結果、前記センサ分与機器が電子的にＯＮ状態に切り換えられるようになされている、センサ分与機器。
【請求項１９】
前記モータがボタンによって起動されるようになされている、請求項１８に記載の機器。
【請求項２０】
前記複数のフィンガのそれぞれが、前記回路板アセンブリの前記複数の底面接点の個々の接点と接触するようになされている、請求項１８に記載の機器。
【請求項２１】
前記複数のフィンガの数と前記複数の底面接点の数とが同じである、請求項１８に記載の機器。
【請求項２２】
前記複数のフィンガがちょうど３つのフィンガであり、前記複数の底面接点がちょうど３つの表面接点である、請求項１８に記載の機器。
【請求項２３】
前記複数の傾斜接点がちょうど２つの傾斜接点である、請求項２２に記載の機器。
【請求項２４】
さらに、外部ハウジング、ナイフブレード、およびアラームを含み、前記ナイフブレードは延長位置をとることができ、前記外部ハウジングが開位置にあり且つ前記取っ手が延長位置にある場合に、前記アラームが起動されて、前記ナイフブレードが前記延長位置にある可能性を示すようになされている、請求項１８に記載の機器。
【請求項２５】
前記センサ分与機器が血糖メータである、請求項１８に記載の機器。
【請求項２６】
前記複数のフィンガが金属で作製され、打ち抜き加工で形成されている、請求項１８に記載の機器。
【請求項２７】
前記複数のフィンガがニッケルめっきした燐青銅を備える、請求項１８に記載の機器。
【請求項２８】
前記複数のフィンガがステンレス鋼を備える、請求項１８に記載の機器。
【請求項２９】
前記複数のフィンガが金属で作製され、前記カバー機構の残りの部分がポリカーボネートで作製されている、請求項１８に記載の機器。
【請求項３０】
前記複数のフィンガが前記カバー機構の残りの部分にインサート成形されている、請求項１８に記載の機器。
【請求項３１】
前記複数のフィンガのそれぞれが、隆起した凸状セクションを有する、請求項１８に記載の機器。
【請求項３２】
前記複数のフィンガの少なくとも１つが永久的に上方向の位置にあり、したがって前記複数の傾斜接点がいずれも前記複数のフィンガの前記少なくとも１つを移動させないようになされている、請求項１８に記載の機器。
【請求項３３】
センサ分与機器を使用する方法であって、前記センサ分与機器が複数のセンサを含むセンサパックを取り扱うようになされており、前記センサ分与機器がさらに、前記複数のセンサの１つを使用して検査を実行するようになされており、
取っ手、回路板アセンブリ、カバー機構、および押圧具アセンブリを備えるセンサ分与機器を提供するステップを含み、前記取っ手が待機位置、検査位置、および延長位置をとることができ、前記回路板アセンブリが、自身の底面上に複数の接点を含み、前記カバー機構が複数のフィンガを含み、前記押圧具アセンブリが複数の傾斜接点を含み、さらに、
前記複数の傾斜接点の少なくとも１つが、前記複数のフィンガの少なくとも１つを移動させて、前記複数の底面接点の少なくとも１つと接触させるように、前記取っ手を前記延長位置へと移動させるステップを含み、
前記取っ手が前記延長位置に移動すると、前記センサ分与機器が電子的にＯＮ状態に切り換えられる、方法。
【請求項３４】
前記取っ手が前記待機位置から前記延長位置へと移動すると、前記センサ分与機器が電子的にＯＮ状態に切り換えられる、請求項３３に記載の方法。
【請求項３５】
前記取っ手が前記検査位置から前記延長位置へと移動すると、前記センサ分与機器が電子的にＯＮ状態に切り換えられる、請求項３３に記載の方法。
【請求項３６】
前記複数のフィンガの少なくとも１つが前記回路板アセンブリの前記底面接点の少なくとも１つと接触すると、前記取っ手の位置が前記センサ分与機器内で伝達される、請求項３３に記載の方法。
【請求項３７】
前記複数のフィンガのそれぞれが、前記回路板アセンブリの前記複数の底面接点の個々の接点と接触するようになされており、請求項３３に記載の方法。
【請求項３８】
前記複数のフィンガの数と前記複数の底面接点の数とが同じである、請求項３３に記載の方法。
【請求項３９】
前記センサ分与機器が血糖メータである、請求項３３に記載の方法。
【請求項４０】
前記複数のフィンガが金属で作製され、打ち抜き加工で形成される、請求項３３に記載の方法。
【請求項４１】
前記複数のフィンガがニッケルめっきした燐青銅を備える、請求項３３に記載の方法。
【請求項４２】
前記複数のフィンガがステンレス鋼を備える、請求項３３に記載の方法。
【請求項４３】
前記複数のフィンガのそれぞれが、隆起した凸状セクションを有する、請求項３３に記載の方法。
【請求項４４】
前記複数のフィンガの少なくとも１つが永久的に上方向の位置にあり、したがって前記複数の傾斜接点がいずれも前記複数のフィンガの少なくとも１つを移動させない、請求項３３に記載の方法。
【請求項４５】
センサ分与機器を使用する方法であって、前記センサ分与機器が複数のセンサを含むセンサパックを取り扱うようになされており、前記センサ分与機器がさらに、前記複数のセンサの１つを使用して検査を実行するようになされており、
モータ、回路板アセンブリ、カバー機構、および押圧具アセンブリを備えるセンサ分与機器を提供するステップを含み、前記回路板アセンブリが、自身の底面上に複数の接点を含み、前記カバー機構が複数のフィンガを含み、前記押圧具アセンブリが複数の傾斜接点を含み、さらに、
前記複数の傾斜接点の少なくとも１つが、前記複数のフィンガの少なくとも１つを移動させて、前記複数の底面接点の少なくとも１つと接触させ、その結果、前記センサ分与機器が電子的にＯＮ状態に切り換えられるように、前記モータを起動するステップを含む、方法。
【請求項４６】
前記モータがボタンによって起動される、請求項４５に記載の方法。
【請求項４７】
前記複数のフィンガのそれぞれが、前記回路板アセンブリの前記複数の底面接点の個々の接点と接触するようになされている、請求項４５に記載の方法。
【請求項４８】
前記複数のフィンガの数と前記複数の底面接点の数が同じである、請求項４５に記載の方法。
【請求項４９】
前記センサ分与機器が血糖メータである、請求項４５に記載の方法。
【請求項５０】
前記複数のフィンガが金属で作製され、打ち抜き加工で形成される、請求項４５に記載の方法。
【請求項５１】
前記複数のフィンガがニッケルめっきした燐青銅を備える、請求項４５に記載の方法。
【請求項５２】
前記複数のフィンガがステンレス鋼を備える、請求項４５に記載の方法。
【請求項５３】
前記複数のフィンガのそれぞれが、隆起した凸状セクションを有する、請求項４５に記載の方法。
【請求項５４】
前記複数のフィンガの少なくとも１つが永久的に上方向の位置にあり、したがって前記複数の傾斜接点がいずれも前記複数のフィンガの少なくとも１つを移動させない、請求項４５に記載の方法。
【発明の詳細な説明】
【技術分野】
【０００１】
本発明は概ね流体監視システムに関し、より詳細には、血糖または自身に含まれる他の分析物の分析に使用される複数のセンサを取り扱う新しい改良型の機器に関する。
【背景技術】
【０００２】
様々な形態の糖尿病を患っている人々は日常的に血液を検査して、血糖値を測定する必要がある。このような検査の結果を使用して、どのインシュリンまたは他の薬品（もしあれば）を投与する必要があるかを判断することができる。あるタイプの血糖検査システムでは、センサを使用して血液のサンプルを検査する。
【０００３】
このようなセンサは概ね平坦な長方形形状をしており、前端または検査端および後端または接触端を有する。センサは血糖と反応する生物測定材料または試薬材料を含む。センサの検査端は、検査中の流体、例えば指を穿刺した後に人の指に蓄積した血液内に配置するような構成とされる。流体は、毛管作用によって、検査端から試薬材料までセンサ内を延在する毛管路に引き込まれる。検査すべき十分な量の流体がセンサに引き込まれる。次に、流体がセンサ内の試薬材料と化学反応し、その結果、検査中の血液の血糖値を示す電気信号が、センサの後端または接触端付近に配置された接触区域に供給される。センサは、例えばブリスターパッケージタイプの包装（内容物の形にならって成形されたプラスチックなどの包装で、裏に台紙などをあてることもある）方法など、引き剥がし式パッケージ内に個々に包装することができる。
【発明の開示】
【発明が解決しようとする課題】
【０００４】
センサの１つを使用して検査を補助するのと同じ動作で、電子的にＯＮ（オン）に切り換えられる機器を有することが望ましい。
【課題を解決するための手段】
【０００５】
１つの実施形態によると、センサ分与機器は、複数のセンサを含むセンサパックを取り扱うようになされている。センサ分与機器はさらに、複数のセンサの１つを使用して検査を実行するようになされている。センサ分与機器は取っ手、回路板アセンブリ、カバー機構、および押圧具アセンブリを備える。取っ手は、待機位置、検査位置、および延長位置をとることができる。回路板アセンブリは、その底面上に複数の接点を含む。カバー機構は複数のフィンガを含む。複数のフィンガのそれぞれは、回路板アセンブリの複数の底面接点の少なくとも１つと接触するようになされている。押圧具アセンブリは複数の傾斜接点を含む。取っ手が延長位置へと移動すると、複数の傾斜接点の少なくとも１つが複数のフィンガの少なくとも１つを移動させ、複数の底面接点の少なくとも１つと接触させる。このようにして、取っ手が延長位置へと移動すると、センサ分与機器を電子的にＯＮ状態に切り換える。
【０００６】
別の実施形態によると、同様にして、センサ分与機器は、複数のセンサを含むセンサパックを取り扱うようになされている。センサ分与機器はさらに、複数のセンサの１つを使用して検査を実行するようになされている。センサ分与機器は回路板アセンブリ、カバー機構、押圧具アセンブリ、およびモータを備える。回路板アセンブリは、その底面上に複数の接点を含む。カバー機構は複数のフィンガを含む。複数のフィンガのそれぞれは、回路板アセンブリの複数の底面接点の少なくとも１つと接触するようになされている。押圧具アセンブリは複数の傾斜接点を含む。モータは、複数の傾斜接点の少なくとも１つを移動させるようになされている。複数の傾斜接点の少なくとも１つが移動すると、複数のフィンガの少なくとも１つを押して、複数の底面接点の少なくとも１つと接触させ、その結果、センサ分与機器が電子的にＯＮ状態に切り換えられる。
【０００７】
１つの方法によると、センサ分与機器は、複数のセンサを含むセンサパックを取り扱うようになされている。センサ分与機器はさらに、複数のセンサの１つを使用して検査を実行するようになされている。取っ手、回路板アセンブリ、カバー機構、および押圧具アセンブリを備えるセンサ分与機器が提供される。取っ手は待機位置、検査位置、および延長位置をとることができる。回路板アセンブリは、その底面上に複数の接点を含む。カバー機構は複数のフィンガを含む。押圧具アセンブリは複数の傾斜接点を含む。取っ手は、複数の傾斜接点の少なくとも１つが複数のフィンガの少なくとも１つを移動させて、複数の底面接点の少なくとも１つと接触させるように、延長位置へと移動するようになされている。このようにして、取っ手が延長位置へと移動すると、センサ分与機器を電子的にＯＮ状態に切り換える。
【０００８】
別の方法によると、センサ分与機器は、複数のセンサを含むセンサパックを取り扱うようになされている。センサ分与機器はさらに、複数のセンサの１つを使用して検査を実行するようになされている。モータ、回路板アセンブリ、カバー機構、および押圧具アセンブリを備えるセンサ分与機器が提供される。回路板アセンブリは、その底面上に複数の接点を含む。カバー機構は複数のフィンガを含む。押圧具アセンブリは複数の傾斜接点を含む。モータは、複数の傾斜接点の少なくとも１つが複数のフィンガの少なくとも１つを移動させ、複数の底面接点の少なくとも１つと接触させ、その結果、センサ分与機器が電子的にＯＮ状態へと切り換えられるように起動される。
【０００９】
本発明は様々な修正および代替形態が可能であるが、特定の実施形態が図面で例示により図示され、本明細書で詳細に説明されている。しかし、本発明は、開示された特定の形態に限定されることは想定されていないことを理解されたい。本発明は、特許請求の範囲によって定義されるような本発明の精神および範囲に入る全ての修正、同等物および代替物をカバーするものとする。
【発明を実施するための最良の形態】
【００１０】
図面を参照すると、全体的に参照番号１０で指定された血糖センサ分与機器が図示されている。センサ分与機器１０は、上ケース１８および下ケース２４を有する外部ハウジング１２を含み、下ケース２４が上ケース１８上で旋回する。上ケース１８は、クラムシェル（二枚貝）式に下ケース２４に対して旋回可能であり、したがってセンサパック３００（図３および図４参照）をハウジング１２内でインデックスディスク３０上に位置決めすることができる。センサパック３００がハウジング１２内にこのように装填された状態で、ハウジング１２の上ケース１８の後端２２から延在する引抜き具３２を移動させて、全体的に数字３４で指定されたディスクドライブ機構（図１０参照）を起動し、センサ３０２をハウジング１２の前端１４上の検査位置に装填することができる（図３参照）。
【００１１】
センサ分与機器１０は、１９９７年５月２０日に発行され、「Ｄｉｓｐｅｎｓｉｎｇ  Ｉｎｓｔｒｕｍｅｎｔ  Ｆｏｒ  Ｆｌｕｉｄ  Ｍｏｎｉｔｏｒｉｎｇ  Ｓｅｎｓｏｒｓ」と題した米国特許第５，６３０，９８６号に記載されたものと同様の設計および／または機能である幾つかの構成要素を組み込むことを理解されたい。このような同様の構成要素の説明が不必要に重複するのを回避するために、この特許の内容は、参照により本明細書に組み込まれる。
【００１２】
センサ分与機器１０によって使用されるセンサパック３００は、１９９６年１１月１９日に発行され、Ｄｉｓｐｅｎｓｉｎｇ  Ｉｎｓｔｒｕｍｅｎｔ  Ｆｏｒ  Ｆｌｕｉｄ  Ｍｏｎｉｔｏｒｉｎｇ  Ｓｅｎｓｏｒｓと題した米国特許第５，５７５，４０３号に記載されたタイプであり、その内容は参照により本明細書に組み込まれる。概して、図８および図９で示すように、センサパック３００は１０個のセンサ３０２を収容するようになされており、１０個のセンサ３０２の１つが１０個の別々のセンサ空隙３０４それぞれに入る。各センサ３０２は、前端または検査端３０６から後端３０８へと延在する、概ね平坦な長方形形状を有する。前端３０６は傾斜し、したがってセンサ３０２がナイフブレード３６（以下で説明）によって強制的にセンサ空隙３０４から出されると、センサ空隙３０４に重なった保護箔３１０の未開封部分を穿孔する。前端３０６は、分析中の血液に入れるようにもなされている。センサ３０２の後端３０８は、ナイフブレード３６がセンサ空隙３０４からセンサ３０２を排出するとナイフブレード３６と係合する小さい切欠き３１２を含む。センサ３０２の後端３０８に近い接点３１４は、センサ３０２が図７で示す検査位置にある場合に、センサアクチュエータ４０（以下で説明）上の金属接点３８と対をなすようにしてこれと係合するようになされている。その結果、センサ３０２は回路板アセンブリ４２上の電子回路と結合し、したがって検査中にセンサ３０２内で生成される情報を記憶、分析かつ／または表示することができる。
【００１３】
図８で示すように、各センサ３０２には毛管路３１６が設けられ、これはセンサ３０２の前端または検査端３０６からセンサ３０２内に配置された生物測定材料または試薬材料へと延在する。センサ３０２の検査端３０６を流体（例えば指を穿刺した後に人の指に蓄積する血液）に入れると、流体の一部が毛管作用によって毛管路３１６に引き込まれる。次に、流体はセンサ３０２内の試薬材料と反応し、したがって検査中の血液の血糖値を示す電気信号が接点３１４に供給され、その後にセンサアクチュエータ４０を通して回路板アセンブリ４２へと転送される。
【００１４】
図９で示すように、センサパック３００は保護箔３１０のシートで覆われた円形のベース部分３１８を備える。センサ空隙３０４はベース部分３１８の凹部として形成され、各センサ空隙３０４は個々のセンサ３０２を収容するようになされている。各センサ空隙３０４は、センサ３０２が箔３１０を通してセンサ空隙３０４から排出される場合に、センサ３０２を案内する傾斜または勾配付き支持壁３２０を有する。
【００１５】
各センサ空隙３０４は、ベース部分３１８内の小さい凹部によって形成された乾燥剤空隙３２２と流体連通する。乾燥剤材料は、各乾燥剤空隙３２２内に配置され、センサ空隙３０４がセンサ３０２内に試薬材料を保存するために適切な湿度レベルに維持されることを保証する。
【００１６】
ベース部分３１８の外周縁に沿って切欠き３２４が形成される。切欠き３２４は、インデックスディスク３０上のピン４４と係合するように構成され、したがってセンサ空隙３０４は、センサパック３００がセンサ分与機器１０に装填されると、インデックスディスク３０と適切に位置合わせされる。以下でさらに詳細に説明するように、ナイフブレード３６がセンサ３０２の１つと係合し、突き出して、ハウジング１２の前端１４の検査位置に押し込むことができるように、センサ空隙３０４はインデックスディスク３０のナイフスロット４６と位置合わせしなければならない。
【００１７】
センサパック３００はさらに、ベース部分３１８の中心部分に伝導性ラベル３２６を備える。以下で説明するように、伝導性ラベル３２６はセンサ分与機器１０内の校正回路によって感知可能なセンサパック３００に関する校正および生成情報を提供する。
【００１８】
センサ分与機器１０を操作するには、最初に引き出し式取っ手３２を、ハウジング１２の後端１６に隣接する待機位置（図１）から、ハウジング１２の後端１６から離れた延長位置（図６）へと手動で引っ張る。引き出し式取っ手３２が外側に移動すると、ディスクドライブ機構３４がセンサパック３００を回転させ、次のセンサ３０２を検査位置に装填する前に待機位置に入れる。引き出し式取っ手３２が外側に移動すると、センサ分与機器１０もＯＮに切り換える（つまり、回路板アセンブリ４２上の電子回路が起動する）。
【００１９】
以下でさらに詳細に説明するように、ディスクドライブ機構３４は、ディスクドライブ押圧具４８のような押圧具アセンブリを含み、その上にインデックスディスクドライブアーム５０が装着される（図１３および図１４参照）。インデックスディスクドライブアーム５０は、板ばね５４の端部に配置されたカムボタン５２を備える。カムボタン５２は、インデックスディスク３０の上面にある複数の曲線状に延在する溝５６の１つの中を移動するように構成される。引き出し式取っ手３２をハウジング１２の後端１６に隣接する待機位置から、ハウジング１２の後端１６から離れた延長位置へと手動で引っ張ると、ディスクドライブ押圧具４８が上ケース１８の後端２２に向かって横方向に引っ張られる。これによってインデックスディスクドライブアーム５０上のカムボタン５２が、インデックスディスク３０を回転するように曲線状に延在する溝５６の１つに沿って移動する。インデックスディスク３０が回転すると、センサパック３００が回転し、したがって次のセンサ空隙３０４が待機位置に入る。
【００２０】
次に、引き出し式取っ手３２を延長位置（図６）から内側に、待機位置（図１）を越えて後方へと手動で引っ張り、検査位置（図７）に入れる。引き出し式取っ手３２が内側に移動すると、ディスクドライブ機構３４がセンサ３０２をセンサパック３００から外し、センサ３０２をハウジング１２の前端１４の検査位置に入れる。
【００２１】
以下でさらに詳細に説明するように、ディスクドライブ機構３４は、ディスクドライブ押圧具４８に旋回自在に装着されたナイフブレードアセンブリ５８を含む（図１３および図１４）。引き出し式取っ手３２を延長位置から検査位置へと手動で引っ張ると、ディスクドライブ押圧具４８が上ケース１８の検査端または前端２０に向かって横方向に押される。これによってナイフブレードアセンブリ５８が下方向に旋回し、したがってナイフブレードアセンブリ５８の端部にあるナイフブレード３６が、センサ空隙３０４の１つを覆う保護箔３１０の一部を穿孔し、センサ空隙３０４内のセンサ３０２と係合する。ディスクドライブ押圧具４８が上ケース１８の前端２０に向かって移動し続けると、ナイフブレードアセンブリ５８がセンサ３０２をセンサ空隙３０４から強制的に出して、ハウジング１２の前端１４にある検査位置に入れる。
【００２２】
ディスクドライブ押圧具４８が延長位置から検査位置へと押される間、インデックスディスクドライブアーム５０上のカムボタン５２が半径方向に延在する溝６０の１つに沿って移動し、インデックスディスク３０の回転を防止する。同様に、ディスクドライブ押圧具４８が待機位置から延長位置へと引っ張られる間、ナイフブレードアセンブリ５８は、インデックスディスク３０の回転と干渉しないように後退位置にある。
【００２３】
センサ３０２がセンサ空隙３０４から完全に排出され、ハウジング１２の前端１４から突出する検査位置に押し込まれると、ディスクドライブ押圧具４８はセンサアクチュエータ４０と係合して、これをセンサ３０２に押し当て、これによってセンサ３０２を検査位置で保持する。センサアクチュエータ４０は、引き出し式取っ手３２が待機位置を過ぎて検査位置へと引き込まれると、センサ３０２と係合する。センサアクチュエータ４０は、センサ３０２を上ケース１８内に配置された電子機器アセンブリ６２と結合する。電子機器アセンブリ６２は、血糖検査手順中に生成されたデータを処理かつ／または保存し、センサ分与機器１０内の液晶ディスプレイ６４上にデータを表示するためにマイクロプロセッサなどを含む。
【００２４】
血液分析検査が終了したら、センサアクチュエータ４０を係合解除して、センサ３０２を解放するように、上ケース１８上のボタンレリーズ６６を押下する。ボタンレリーズ６６を押下すると、ディスクドライブ押圧具４８および引き出し式取っ手３２が検査位置から移動し、待機位置に戻る。この時点で、使用者は上ケース１８上のボタン９６を押下するか、センサ分与機器１０が電子機器アセンブリ６２のタイマに従って自動的にＯＦＦに切り換われるようにすることによって、センサ分与機器１０をＯＦＦに切り換えることができる。
【００２５】
図１から図７および図１０から図１２で見られるように、センサ分与ハウジング１２の上ケース１８および下ケース２４は相補的に全体的に楕円形の中空容器であり、上ケース１８の後端２２内から外側に延在して下ケース２４の後部セクション２８の旋回穴７０に入る旋回ピン６８の周囲で相互に対して旋回するようになされている。上ケース１８および下ケース２４は、ラッチ７２によって閉鎖構成に維持され、これはラッチ７２内の旋回穴７６へと内側に延在するピン７４によって下ケース２４の前部セクション２６に旋回自在に装着される（図１２参照）。ラッチ７２は、上ケース１８上のフック８０と対をなすように係合して上ケース１８と下ケース２４を閉鎖構成に固定するよう構成された窪み７８を有する。ラッチ７２は、ラッチばね８２によって垂直または閉位置に偏倚される。ラッチばね８２の端部８４は、下ケース２４の内側のスロット８６に固定される。ラッチ７２がラッチばね８２の偏倚力に抗して旋回すると、上ケース１８上のフック８０が窪み７８から係合解除し、これによって上ケース１８と下ケース２４が開くことができる。
【００２６】
図１、図５から図７、および図１０から図１１で見られるように、上ケース１８は長方形の開口３０を含み、これを通して液晶ディスプレイ６４が下に見える。液晶ディスプレイ６４は、上ケース１８の上面に固定された表示レンズ８８を通して見られる。図示の好ましい実施形態では、表示レンズ８８は不透明部分９０および透明部分９２を有し、透明部分９２は液晶ディスプレイ６４の表示区域と一致する。液晶ディスプレイ６４は、電子機器アセンブリ６２の構成要素であり、エラストマコネクタ９４を介して回路板アセンブリ４２に結合される（図１６参照）。液晶ディスプレイ６４は、検査手順から、または上ケース１８のボタン９６によって入力された信号に応答して、あるいはその両方での情報を表示する。例えば、ボタン９６を押下して、以前の検査手順の結果を液晶ディスプレイ６４上に呼び出し、見ることができる。図１１に示すように、ボタン９６は、下から上ケース１８に取り付けられたボタンセット９８の一部であり、したがって個々のボタン９６が上ケース１８のボタン開口１００を通って上方向に突出する。押下すると、ボタン９６が回路板アセンブリ４２に電気的に接続する。
【００２７】
図１、図５および図１１で示すように、ボタン隠しドア１０２が、ボタン隠しドア１０２の各側から外側に突出して上ケース１８の側壁の穴１０６と係合する１対のピン１０４によって、上ケース１８に旋回自在に接続する。ボタン隠しドア１０２は、ボタン隠しドア１０２を閉鎖すると上ケース１８の側壁の窪み１１０に填る１対の耳部１０８も備える。耳部１０８は、上ケース１８の側壁をわずかに越えて延在し、したがってボタン隠しドア１０２を開放するために使用者が把持することができる。ボタン隠しドア１０２の旋回縁１１２が、上ケース１８の上面のタブ１１４と係合する。タブ１１４は、ボタン隠しドア１０２を閉位置または全開位置へと偏倚するような方法で旋回縁１１２に擦り付けられる。図示の好ましい実施形態では、ボタン隠しドア１０２は、ボタン隠しドア１０２の閉鎖時にボタン９６の１つ（例えばオン／オフボタン）にアクセスできるようにする開口１１６を有する（図１参照）。これによって、専用であるが、滅多に、またはそれほど使用しないボタン９６をボタン隠しドア１０２の下に隠し、それにより使用者にとってのセンサ分与機器１０の学習曲線および日常の操作を単純化することができる。
【００２８】
上ケース１８は、上ケース１８を通して上方向に突出するボタンレリーズ６６用の開口１１８も含む。以下でさらに詳細に説明するように、ボタンレリーズ６６は、センサアクチュエータ４０を係合解除し、センサ３０２を検査位置から解放するために押下される。
【００２９】
上ケース１８は、バッテリトレイアセンブリ１２２用の開口１２０も含む。バッテリトレイアセンブリ１２２は、バッテリ１２６が配置されたバッテリトレイ１２４を含む。バッテリトレイアセンブリ１２２は、上ケース１８の側部にある開口１２０に挿入される。このように挿入されると、バッテリ１２６は、回路板アセンブリ４２および液晶ディスプレイ６４上の回路など、機器１０内の電子機器に電力を提供するように、回路板アセンブリ４２上のバッテリ接点１２８および１３０と係合する。下ケース２４上のタブ１３２は、上ケース１８および下ケース２４が閉鎖構成である場合に、バッテリトレイアセンブリ１２２がセンサ分与機器１０から外れるのを防止するように、バッテリトレイアセンブリ１２２内のスロット１３４と係合するように構成される。
【００３０】
電子機器アセンブリ６２は、上ケース１８の上部内面に取り付けられる。図１６から図１８で示すように、電子機器アセンブリ６２は回路板アセンブリ４２を備え、その上に様々な電子機器および電気構成要素が取り付けられる。プラスのバッテリ接点１２８およびマイナスのバッテリ接点１３０が、回路板アセンブリ４２の底面１３６（図１６および図１８で見ると上向きの表面である）に配置される。バッテリ接点１２８および１３０は、バッテリトレイアセンブリ１２２が上ケース１８の側部に挿入されるとバッテリ１２６と電気的に接続するように構成される。回路板アセンブリ４２の底面１３６は、伝達インタフェース１３８も含む。伝達インタフェース１３８によって、検査または校正情報をセンサ分与機器１０と別の装置、例えばパーソナルコンピュータとの間で標準的ケーブルコネクタ（図示せず）を通して転送することができる。図示の好ましい実施形態では、伝達インタフェース１３８は標準的なシリアルコネクタである。しかし、伝達インタフェース１３８は代替的に赤外線エミッタ／検出器ポート、電話ジャック、または無線送信器／受信器ポートでよい。ブドウ糖検査結果を記憶するメモリチップまたはプログラムを実行するＲＯＭチップなどの他の電子機器および電気デバイスが同様に、回路板アセンブリ４２の底面１３６および上面１４０に含まれる。
【００３１】
液晶ディスプレイ６４は、回路板アセンブリ４２の上面１４０（図１７の上向きの表面）に取り付けられる。液晶ディスプレイ６４は、スナップ式ディスプレイ枠１４２によって保持される。スナップ式ディスプレイ枠１４２は側壁１４４を含み、これは液晶ディスプレイ６４を囲み、これを位置決めする。側壁１４４のうち２つにあるオーバハング１４６が、液晶ディスプレイ６４をスナップ式ディスプレイ枠１４２内に保持する。スナップ式ディスプレイ枠１４２は、回路板アセンブリ４２上にてこれと対をなすように係合可能な穴１５０と係合するように構成された複数のスナップ締結具１４８を含む。液晶ディスプレイ６４は、スナップ式ディスプレイ枠１４２のスロット１５２内に配置された１対のエラストマコネクタ９４によって、回路板アセンブリ４２上の電子機器に電気的に接続される。エラストマコネクタ９４は通常、多少可撓性の電気コネクタを生成するように、可撓性伝導材料と絶縁材料の交互の層を備える。図示の好ましい実施形態では、スロット１５２は複数のスロットバンプ１５４を含み、これはエラストマコネクタ９４の側部と係合して、これが組立て中にスロット１５２から落下するのを防止する。
【００３２】
スナップ式ディスプレイ枠１４２は、液晶ディスプレイ６４を組み立てて電子機器デバイスに取り付けるために通常使用されているねじ式締結具および金属圧縮枠をなくす。また、スナップ式ディスプレイ枠１４２によって、液晶ディスプレイ６４を回路板アセンブリ４２に組み付ける前に液晶ディスプレイ６４を検査することもできる。
【００３３】
ボタンセット９８はまた、回路板アセンブリ４２の上面１４０に対して対をなすようにしてこれと係合する。上述したように、ボタンセット９８は、センサ分与機器１０の電子機器を操作するために押下される幾つかの個々のボタン９６を備える。例えば、ボタン９６は、センサ分与機器１０の検査手順を起動するために押下することができる。ボタン９６は、以前の検査手順の結果を呼び出し、液晶ディスプレイ６４に表示させるためにも押下することができる。ボタン９６は、日付および時間の情報を設定して表示し、使用者に所定のスケジュールに従って血糖検査を実施するよう思い出させる注意警報を起動するために使用してもよい。ボタン９６は、センサ分与機器１０の特定の校正手順を起動するために使用してもよい。
【００３４】
電子機器アセンブリ６２はさらに、回路板アセンブリ４２の底面１３６上に１対の表面接点１３９を備える（図１６および図１８参照）。表面接点１３９は、カバー機構１８８の１つまたは複数のフィンガ１４３と接触するように構成され、これは押圧具アセンブリまたはディスクドライブ押圧具４８上の１対の傾斜接点１４１と係合するように構成される（図６および図１３参照）。引き出し式取っ手３２が移動すると、傾斜接点１４１がフィンガ１４３を押して、引き出し式取っ手３２の位置を電子機器アセンブリ６２に伝達するように、表面接点１３９の一方または両方と接触させる。特に、引き出し式取っ手３２が待機位置または検査位置から延長位置へと移動すると、センサ分与機器がＯＮに切り換わる。また、引き出し式取っ手３２が延長位置にある間にハウジング１２が開かれると、アラームが起動されて、ナイフブレード３６が延長位置にあるかもしれないと使用者に警告する。例えば、引き出し式取っ手３２が延長位置にある間にハウジング１２が開かれると、ブザーが鳴ってよい。
【００３５】
引き出し式取っ手３２は待機位置（図１）、検査位置（図７）、および延長位置（図６）をとることができる。センサ分与機器１０は、引き出し式取っ手３２が待機位置から延長位置へと後方に引かれる間に、電子的にＯＮ状態に切り換えられる。引き出し式取っ手３２が延長位置から検査位置へと内側に引かれると、センサ分与機器１０が検査モードに入る。このことは、１つの実施形態では、カバー機構１８８、回路板アセンブリ４２、および押圧具アセンブリ４８を使用して遂行され、これはまとめてプルプッシュ式スイッチと呼ぶことができる。
【００３６】
カバー機構１８８は複数のフィンガ１４３を含む。図１３および図１９ａから図１９ｃで示すように、複数のフィンガ１４３は第１フィンガ１４３ａ、第２フィンガ１４３ｂおよび第３フィンガ１４３ｃを含み、第２フィンガ１４３ｂは第１フィンガと第３フィンガ１４３ａ、１４３ｃの間に配置される。複数のフィンガは、図１９ａから図１９ｃで図示された３つのフィンガより少ない、またはこれより多いフィンガを含んでよいことが想定される。図１９ｂ、図１９ｃで示すように複数のフィンガ１４３のそれぞれは、隆起した凸状セクション１３７を有することが望ましい。しかし、複数のフィンガは図１３および図１９ａから図１９ｃで示すものとは異なる形状でよいことが想定される。
【００３７】
複数のフィンガ１４３は、例えばニッケルめっきの燐青銅またはステンレス鋼などの金属で作製することが好ましい。しかし、複数のフィンガの形成には他の金属を使用してよいことが想定される。複数のフィンガの形成に使用可能なこのような金属の１つは、めっきしたベリリウム銅である。複数のフィンガ１４３は、打ち抜き加工で形成してよい。カバー機構１８８の残りの部分は、ポリカーボネートなどのポリマ材料で作製してよい。複数のフィンガ１４３は、カバー機構１８８の残りの部分にインサート成形してよい。複数のフィンガを使用することが有利なのは、これがセンサ分与機器の厚さを最小にし、費用効果も高く、それでも所望の機能を果たすからである。例えば、回路板アセンブリ４２およびカバー機構１８８の全厚さを約５０ミル未満に減少させることが望ましく、約４０または約３５ミル未満であることがさらに望ましい。
【００３８】
複数のフィンガ１４３のそれぞれは、回路板アセンブリ４２の複数の底面接点１３９の少なくとも１つと接触するようになされており、これは図１６および図１８で図示されている。複数の底面接点１３９は、無電解ニッケル上の金のような金めっきパッドでよい。図１８ｂで示すように、回路板アセンブリ４２は第１底面接点１３９ａ、第２底面接点１３９ｂ、および第３底面接点１３９ｃを含む。したがって、このような実施形態では、複数のフィンガ１４３ａから１４３ｃのそれぞれは、回路板アセンブリ４２の複数の底面接点１３９ａから１３９ｃの個々の接点と接触するようになされている。複数のフィンガ１４３の数と底面接点１３９の数は、図１８ａ、図１８ｂおよび図１３および図１９ａから図１９ｃでは等しい数が図示されているが、異なってよい。
【００３９】
複数のフィンガ１４３は、押圧具アセンブリ４８を介して回路板アセンブリ４２の複数の底面接点１３９のうち少なくとも１つと接触するようになされている。図１３および図２０で示すように、押圧具アセンブリ４８は複数の傾斜接点１４１を含む。具体的には、押圧具アセンブリ４８はちょうど２つの傾斜面１４１ａ、１４１ｂを含む。傾斜接点は、図２０に図示されたものとは異なる形状でよいことが想定される。例えば、複数の傾斜接点は半円形でよい。
【００４０】
引き出し式取っ手３２を大気位置から延長位置へと後方に引っ張ると、複数の傾斜接点１４１ａの１つが第１および第２フィンガ１４３ａ、１４３ｂと接触し、それによって第１および第２フィンガ１４３ａ、１４３ｂが上昇する。この上昇中に、第１および第２フィンガ１４３ａ、１４３ｂは個々の第１および第２底部回路接点１３９ａ、１３９ｂと接触する。第１および第２フィンガ１４３ａ、１４３ｂと個々の第１および第２底部回路接点１３９ａ、１３９ｂが接触すると、センサ分与機器１０が電子的にＯＮに切り換えられる。メータが電子的にオンに切り換えられると、センサ分与機器１０のディスプレイの全区画がＯＮに切り換わることができる。
【００４１】
上記で検討したように、ディスプレイは液晶ディスプレイ６４でよい。センサ分与機器１０がＯＮに切り換えられた場合に表示可能な情報の幾つかは、以下を含む。つまりバッテリ表示、数値表示、センサの残数表示、センサパックまたはブリスター（内容物の形にならうように成形した包装）を装填するという表示、血液を適用するという表示、温度表示、またはその様々な組合せである。したがって、センサ分与機器１０は、使用者がセンサ３０２をハウジングの前端１４上で検査位置に入れるのと同じ動作で、電子的にＯＮに切り換えられる（図７参照）。
【００４２】
引き出し式取っ手３２が延長位置から検査位置へと前方に押されると、これは待機位置を通過する。ディスプレイは、この移動中に十分に点灯したままであることが望ましい。引き出し式取っ手３２が延長位置から検査位置へと前方に押されると、第１および第２フィンガ１４３ａ、１４３ｂは傾斜接点１４１ａと接触した後に下降し、その結果第１および第２フィンガ１４３ａ、１４３ｂが個々の第１および第２底部回路接点１３９ａ、１３９ｂから係合解除する。引き出し式取っ手３２が延長位置から検査位置へと引き続き前方に押されると、第２の傾斜接点１４１ｂが第２および第３フィンガ１４３ｂ、１４３ｃと接触し、これを押し上げる。これによって第２および第３フィンガ１４３ｂ、１４３ｃが押し上げられ、個々の第２および第３底面回路接点１３９ｂ、１３９ｃと接触する。第２および第３フィンガ１４３ｂ、１４３ｃが個々の第２および第３底部回路接点１３９ｂ、１３９ｃと接触すると、センサ分与機器１０のディスプレイが血液の滴を示し、これはメータが血糖検査などの検査を実行する準備が整ったことを使用者に示す。より具体的には、ディスプレイは、血液をセンサ３０２に追加すべきことを使用者に表示する明滅または点滅する血液の滴を有することができる。また、ディスプレイは、センサパック３００をセンサ分与機器１０に装填する必要があることを示す記号を有してよい。
【００４３】
別の実施形態によると、第２フィンガ１４３ｂは上方向の位置に永久的に配置してよい。このような実施形態では、第２底部回路接点１３９ｂと接触するように傾斜接点１４１ａ、１４１ｂが第２フィンガ１４３ｂを押し上げる必要がもうない。この実施形態では、待機位置から延長位置へ、および延長位置から検査位置へと移動する間に、第２フィンガ１４３ｂが第２底部回路接点１３９ｂと接触するように、第２フィンガ１４３ｂが永久的に配置される。
【００４４】
電子機器アセンブリの参照に戻り、電子機器アセンブリ６２の設計および構成によって、電子機器アセンブリ６２をセンサ分与機器１０の上ケース１８に組み付ける前に、電子機器および電気構成要素を組み立てて検査できることに留意されたい。特に、液晶ディスプレイ６４、ボタンセット９８、バッテリ接点１２８および１３０、および他の電子機器および電気構成要素のそれぞれは、回路板アセンブリ４２に組み付けて、検査し、これらの構成要素、およびこれらの構成要素への電気接続が適切に作業していることを検証することができる。これで、検査によって識別された全ての問題または誤動作を補正するか、誤動作する構成要素を廃棄してから、電子機器アセンブリ６２をセンサ分与機器１０の上ケース１８に組み付けることができる。
【００４５】
上述したように、センサ分与機器１０は、センサパック３００に関する校正および生成情報を求める校正回路を含む。図１２で示すように、校正回路は、下ケース２４に配置された可撓性回路１５６を備える。可撓性回路１５６は、１対のピン１６０によって下ケース２４の後部セクション２８に接続されたオートキャル（自動校正）ディスク（ａｕｔｏｃａｌ  ｄｉｓｋ）１５８によって下ケース２４の所定の位置に保持される。オートキャルディスク１５８は、インデックスディスク３０に対してセンサパック３００を保持するように、センサパック３００上のセンサ空隙３０４と係合するように構成された隆起中心部分１６２を有する。オートキャルディスク１５８は、可撓性回路１５６上の接点１６６を露出させるためにピン１６０間に配置された開放区域１６４も有する。
【００４６】
可撓性回路１５６は、オートキャルディスク１５８の内部領域で穴１７０を通って可撓性回路１５６から上方向に延在する複数のプローブ１６８を備える。これらのプローブ１６８は、可撓性回路１５６の端部にある接点１６６に接続される。下ケース２４を上ケース１８にラッチ接続した状態でセンサ分与機器１０を閉じると、プローブ１６８は、センサ分与機器１０に使用されているセンサパック３００上の電気伝導性ラベル３２６と接触する。発泡体パッド１７２が可撓性回路１５６の下に位置決めされて、偏倚力を提供し、プローブ１６８が電気的に接続するのに十分な力で伝導性ラベル３２６に押し付けられることを保証する。発泡体パッド１７２は、センサパック３００がインデックスディスク３０によって回転している間に、プローブ１６８が相互に対して独立して移動できるように緩衝力も提供する。その結果、伝導性ラベル３２６に含まれた校正および生成データなどの情報を、プローブ１６８を介して可撓性回路１５６に転送することができ、これはエラストマコネクタ１７４を介してデータを回路板アセンブリ４２上の電子回路に結合する。次に、電子機器アセンブリ６２がこの情報を使用して、センサ分与機器１０を校正するか、これを液晶ディスプレイ６４上に表示することができる。
【００４７】
図１０で示すように、エラストマコネクタ１７４は、上縁１７６から底縁１７８まで延在するシリコンゴムの層で作製され、交互の層は自身内に分散した伝導性材料を有し、上縁１７６上の接点を底縁１７８上の接点に接続する。上ケース１８と下ケース２４を閉じると、エラストマコネクタ１７４が縁部１７６と１７８の間の方向に圧縮され、したがって上縁１７６に沿った接点が上ケース１８の回路板アセンブリ４２上の電子回路と係合し、底縁１７８に沿った接点が下ケース２４の可撓性回路１５６上の接点１６６と係合する。エラストマコネクタ１７４がこのように圧縮された状態で、低電圧の信号を回路板センブリ４２と可撓性回路１５６の間でエラストマコネクタ１７４を通して容易に転送することができる。
【００４８】
エラストマコネクタ１７４は、案内ブロック１８２上のスロット付きハウジング１８０によって所定の位置に保持される。図示の好ましい実施形態では、スロット付きハウジング１８０は、上ケース１８と下ケース２４とを閉じるとコネクタ１７４を圧縮することができ、上ケース１８と下ケース２４を開くと、それでもエラストマコネクタ１７４を保持するように構成された蛇行した断面を有する。あるいは、スロット付きハウジング１８０はコネクタ１７４の側部と係合する内側に突出した隆起部を含んでよい。
【００４９】
ディスクドライブ機構３４は、上ケース１８の上部内面に取り付けられる。図１０で示すように、ディスクドライブ機構３４は、上ケース１８の上部内面上のポスト（図示せず）と係合する複数の装着ねじ１８４によって、上ケースに取り付けられる。装着ねじ１８４は電子機器アセンブリ６２も通過して、これを固定し、これはディスクドライブ機構３４と上ケース１８の間に配置される。
【００５０】
ディスクドライブ機構３４は以下でさらに詳細に説明されているが、ディスクドライブ機構３４は、ディスクドライブ機構３４を上ケース１８の上部内面に装着する前に組み立てて、その操作を検査できるように構成されることが望ましいことに留意されたい。つまり、ディスクドライブ機構３４は、センサ分与機器１０の最終的組立ての前に検査可能なモジュール式設計を有する。
【００５１】
図１３および図１４で示すように、ディスクドライブ機構３４は案内ブロック１８２、センサアクチュエータ４０、ハウジングガイド１８６、ディスクドライブ押圧具４８、インデックスディスクドライブアーム５０、ナイフブレードアセンブリ５８、引き出し式取っ手３２、カバー機構１８８、およびボタンレリーズ６６を備える。ハウジングガイド１８６は、１つまたは複数のピン１９２によって案内ブロック１８２の（図１３で見て）上面１９０に固定される。ディスクドライブ押圧具４８は、ディスクドライブ押圧具４８がハウジングガイド１８６および案内ブロック１８２に対して横方向に滑動できるような方法で、ハウジングガイド１８６および案内ブロック１８２上に支持される。ナイフブレードアセンブリ５８は、ディスクドライブ押圧具４８の下側に旋回自在に接続され、ハウジングガイド１８６および案内ブロック１８２によって案内される。インデックスディスクドライブアーム５０もディスクドライブ押圧具４８に接続され、案内ブロック１８２によって部分的に案内される。引き出し式取っ手３２は、ディスクドライブ押圧具４８の後端２０２にある穴２００を通過するスナップ式圧入具１９８によって相互に接続された上部引き出し式取っ手１９４および下部引き出し式取っ手１９６を備える。図示の好ましい実施形態では、上部引き出し式取っ手１９４および下部引き出し式取っ手１９６のそれぞれは、使用者の手の親指とその他の指との間で引き出し式取っ手３２を把持することを促進するために、凹状のきめ出し外面（つまり引き出し式取っ手３２の上面および底面）を有する。カバー機構１８８は、ディスクドライブ押圧具４８とハウジングガイド１８６が間に配置された状態で、案内ブロック１８２に取り付けられる。センサアクチュエータ４０は、案内ブロック１８２に取り付けられ、ディスクドライブ押圧具４８が検査位置にある場合は、ディスクドライブ押圧具４８の前端２０４と係合する。ボタンレリーズ６６は、ディスクドライブ押圧具４８が検査位置にある場合にディスクドライブ押圧具４８の前端２０４と係合するように、カバー機構１８８に滑動自在に接続する。
【００５２】
また、インデックスディスク３０は、インデックスディスク３０を通して案内ブロック１８２内に接続された保持器ディスク２０６によって、ディスクドライブ機構３４に回転自在に固定される。図１４で示すように、保持器ディスク２０６は１対のラッチアーム２０８を有し、これはインデックスディスク３０の中心穴２１０を通って延在し、案内ブロック１８２の開口２１２内にラッチ接続する。上述したように、インデックスディスク３０は、その下面２１４から突出する複数のピン４４を含む。これらのピン４４は、インデックスディスク３０の位置に従ってセンサパック３００を位置合わせし、回転するように、センサパック３００（図４参照）上の切欠き３２４と係合するように構成される。したがって、ピン４４および切欠き３２４は、センサパック３００がインデックスディスク３０とともに回転するように、インデックスディスク３０上にセンサパック３００を保持することと、センサパック３００をインデックスディスク３０に対して周方向に適切に位置合わせした状態で位置決めすることという二重の目的を有する。
【００５３】
以前に示したように、ディスクドライブ押圧具４８は、取っ手３２を待機位置から延長位置へと移動させるために引き出し式取っ手３２に手動で引っ張り力を加える使用者によって、ハウジング１２の後端１６から（検査端１４から）引っ張られる。引き出し式取っ手３２が上ケース１８の後端２２から引き離されると、ディスクドライブ押圧具４８が案内ブロック１８２、ハウジングガイド１８６、およびカバー機構１８８によって横方向に案内される。ディスクドライブ押圧具４８が上ケース１８の後端２２に向かって滑動すると、インデックスディスクドライブアーム５０によってインデックスディスク３０が回転する。
【００５４】
インデックスディスクドライブアーム５０は、ディスクドライブ押圧具４８から後方に延在する。インデックスディスクドライブアーム５０は、アーム５０がディスクドライブ押圧具４８から外側へと偏倚するように、ステンレス鋼などのばねタイプの材料で作製した板ばね５４を含む。カムボタン５２はアーム５０の遠位端に取り付けられ、インデックスディスク３０の（図１３で見て）上面２１６と係合するように構成される。特に、インデックスディスクドライブアーム５０は、案内ブロック１８２のスロット２１８を通って下方向に突出するように曲げられ、したがってカムボタン５２はその表面から外側に突出する。スロット２１８は、検査手順中にディスクドライブ押圧具４８が前後に移動するにつれ、インデックスディスクドライブアーム５０およびカムボタン５２がスロット２１８に沿って移動できるように設計される。スロット２１８は、インデックスディスクドライブアーム５０がディスクドライブ押圧具４８に対して側方に移動するのも防止する（つまり、インデックスディスクドライブアーム５０に横方向の支持を提供する）。
【００５５】
図１３で示すように、インデックスディスク３０の上面２１６は一連の半径方向に延在する溝６０、および複数の曲線状に延在する溝５６を備える。カムボタン５２は、ディスクドライブ押圧具４８の移動中にこれらの溝５６および６０に沿って進むように構成される。ディスクドライブ押圧具４８が上ケース１８の後端２２に向かって滑動すると、カムボタン５２が曲線状に延在する溝５６の１つに沿って移動する。これによってインデックスディスク３０が回転する。図示の好ましい実施形態では、インデックスディスク３０の周囲に等間隔の１０の半径方向に延在する溝６０と１０の曲線状に延在する溝５６があり、各半径方向に延在する溝６０は１対の曲線状に延在する溝５６の間に配設される。したがって、ディスクドライブ押圧具４８が上ケース１８の後端２２に向かって移動すると、インデックスディスク３０が１／１０回転する。
【００５６】
引き出し式取っ手３２がハウジング１２の後端１６から十分に延長した位置まで引っ張られると、カムボタン５２が外部段差２２０上を通過し、これは曲線状に延在する溝５６の外端２２２を隣接して半径方向に延在する溝６０から分離する。外部段差２２０は、曲線状に延在する溝５６の外端２２２と隣接して半径方向に延在する溝６０の外端２２４との間の深さの差によって形成される。特に、半径方向に延在する溝６０の外端２２４は、曲線状に延在する溝５６の外端２２２より深い。したがって、カムボタン５２が曲線状に延在する溝５６から隣接して半径方向に延在する溝６０へと移動すると、インデックスディスクドライブアーム５０の板ばね５４の偏倚力によってカムボタン５２が外部段差２２０を越えて下方向に移動する。外部段差２２０は、（以下で説明するように）ディスクドライブ押圧具４８の進行方向が逆転した場合に、カムボタン５２が曲線状に延在する溝５６の外端２２２に再入するのを防止する。
【００５７】
インデックスディスク３０が回転すると、センサパック３００が同様に回転し、したがって次に使用可能なセンサ空隙３０４が、ハウジング１２の検査端１４に隣接する待機位置に入る。センサパック３００は、インデックスディスク３０上のピン４４によってセンサパック３００上の切欠き３２４が係合しているので、インデックスディスク３０とともに回転する。以上で説明したように、各センサ空隙３０４は、ブドウ糖検査手順中に使用する使い捨てセンサ３０２を含む。
【００５８】
ディスクドライブ押圧具４８のさらなる後方への移動は、案内ブロック１８２の後壁２２６によって防止される。図示の好ましい実施形態では、後壁２２６は、下ケース２４に配置された可撓性回路１５６に電子機器アセンブリ６２を接続するエラストマコネクタ１７４を保持するために、スロット付きハウジング１８０を含む。ディスクドライブ押圧具４８の内縁２２８は、ディスクドライブ押圧具４８が十分に延長した位置（図６参照）になると、案内ブロック１８２上の後壁２２６と係合する。
【００５９】
次に、引き出し式取っ手３２は、十分に延長した位置から手動で待機位置（図１）を過ぎて内側に引っ張られ、検査位置（図７）に入る。以前に示したように、引き出し式取っ手３２が内側に移動すると、ディスクドライブ機構３４がセンサ３０２をセンサパック３００から取り出し、センサ３０２を検査位置に入れる。
【００６０】
図１３および図１４で示すように、ディスクドライブ機構３４は、ディスクドライブ押圧具４８に旋回自在に装着されたナイフブレードアセンブリ５８を含む。ナイフブレードアセンブリ５８は、１対の旋回ピン２３４によってディスクドライブ押圧具４８に旋回自在に接続された第１端２３２を有する揺動アーム２３０を備える。ナイフブレード３６は揺動アーム２３０の第２端２３６に接続される。揺動アーム２３０の第２端２３６は、第１カム従動子２３８および第２カム従動子２４０も含み、それぞれが横方向に延在するポストの形状である。第１カム従動子２３８は、案内ブロック１８２、ハウジングガイド１８６、およびカバー機構１８８によってナイフブレードアセンブリ５８の一方側に形成された通路を辿るように構成される。特に、この通路は、ハウジングガイド１８６上のカム突起２４２によって形成され、これはカム突起２４２とカバー機構１８８の間に上部通路２４４を形成し、カム突起２４２と案内ブロック１８２の間に下部通路２４６を形成する。第１カム従動子２３８が上部通路２４４に配置されると、ナイフブレード３６は後退位置になる。他方で、第１カム従動子２３８が下部通路２４６に配置されると、ナイフブレード３６は延長位置になる。上部通路２４４および下部通路２４６は、周囲を第１カム従動子２３８が移動できる連続的ループを形成するように、カム突起２４２の両端にて相互に接続される。
【００６１】
第２カム従動子２４０は、ハウジングガイド１８６に取り付けられたカムばね２４８と係合する。以下で説明するように、カムばね２４８は、ディスクドライブ押圧具４８が最初に待機位置から延長位置に向かって後方に引っ張られると、ナイフブレードアセンブリ５８を下部通路２４６から上部通路２４４へと案内する。ディスクドライブ押圧具４８は、ディスクドライブ押圧具４８が最初に延長位置から検査位置へと前方に押されると、ナイフブレード３６を延長位置に向かって偏倚させるばね２５０も備える。図示の好ましい実施形態では、ばね２５０は、揺動アーム２３０の上側に押し付けられる板ばねを備える。
【００６２】
引き出し式取っ手３２が手動で延長位置から検査位置へと押されると、ディスクドライブ押圧具４８がハウジング１２の検査端または前端１４に向かって横方向に押される。ディスクドライブ押圧具４８が前方に移動し始めると、ばね２５０が揺動アーム２３０をインデックスディスク３０に向かって下方向に偏倚し、したがって第１カム従動子２３８がカム突起２４２の内端２６８上の傾斜面２５２と係合し、強制的に下部通路２４６に入る。これによってナイフブレード３６が延長位置になり、それによってナイフブレード３６がインデックスディスク３０のナイフスロット４６を通って外側に突出し、センサ空隙３０４の１つを覆う保護箔３１０を穿孔して、内部に含まれたセンサ３０２の後端３０８の切欠き３１２と係合する。ディスクドライブ押圧具４８が上ケース１８の前端２０に向かって移動し続けると、第１カム従動子２３８が下部通路２４６沿いに続き、それによってナイフブレード３６は延長位置に留まって、ナイフスロット４６を通って突出し、したがってこれがナイフスロット４６に沿って移動し、センサ３０２をセンサ空隙３０４から前方に押し出し、ハウジング１２の前端１４にある検査位置に入れる。センサ３０２は、センサ３０２の前端３０６が案内ブロック１８２の前端に形成されたセンサ開口２５４から突出すると、検査位置になる。検査位置にある間、センサ３０２は、ナイフブレード３６がセンサ３０２の後端３０８にある切欠き３１２と係合することによって、センサ開口２５４を通って押し戻されない。
【００６３】
ディスクドライブ押圧具４８が検査位置に到達すると、ディスクドライブ押圧具４８の前端がセンサアクチュエータ４０およびボタンレリーズ６６に同時に係合する。特に、ディスクドライブ押圧具４８の前端２０４は、ボタンレリーズ６６と係合して、上ケース１８の上面から上方向に突出するように、これを外側に押す。それと同時に、ディスクドライブ押圧具４８の前端２０４は、センサアクチュエータ４０を下降させるように、センサアクチュエータ４０上の接点パッド２５６と係合する。このように下降すると、センサアクチュエータ４０上の１対の金属接点３８が案内ブロック１８２上のセンサ開口２５４内に突出し、ブドウ糖検査手順のためにセンサ３０２上の接点３１４と係合する。金属接点３８は、センサ３０２に摩擦力も加え、したがってセンサ３０２はブドウ糖検査手順の終了前にセンサ開口２５４から時期尚早に落下することはない。図示の好ましい実施形態では、金属接点３８は多少可撓性であり、ステンレス鋼で作製される。ハウジングガイド１８６は、金属接点３８が曲がるのを防止するように、金属接点３８に隣接して配置された支持リブ１８７を含む。以上で説明したように、金属接点３８によってブドウ糖検査手順中にセンサ３０２と電子機器アセンブリ６２間で電気信号を転送することができる。
【００６４】
ブドウ糖検査手順が終了すると、ボタンレリーズ６６を押下して、センサ３０２を検査位置から解放する。ボタンレリーズ６６は、ある角度でディスクドライブ押圧具４８の前端２０４と係合する傾斜接触面２５８を有する。ボタンレリーズ６６を押下すると、傾斜接触面２５８がディスクドライブ押圧具４８の前端２０４に沿って滑動し、それによってディスクドライブ押圧具４８が検査位置から後方に移動して待機位置に入る。図示の好ましい実施形態では、ディスクドライブ押圧具４８は２．０３２ｍｍ（０．０８０インチ）の距離だけ横方向に移動する。ディスクドライブ押圧具４８が待機位置へと移動すると、さらにディスクドライブ押圧具４８の前端２０４がセンサアクチュエータ４０上の接触パッド２５６から係合解除し、これによってセンサアクチュエータ４０がセンサ３０２から離れ、そこから係合解除することができる。これで、センサ分与機器１０の前端１４を下方向に傾けることによってセンサ３０２を外すことができる。
【００６５】
上述したように、ディスクドライブ押圧具４８を延長位置から検査位置に向かって押すと、インデックスディスクドライブアーム５０上のカムボタン５２が半径方向に延在する溝６０の１つに沿って移動し、インデックスディスク３０およびセンサパック３００の回転を防止する。半径方向に延在する溝６０は、溝６０の深さを変化させる傾斜部分２６０を含む。特に、傾斜部分２６０は半径方向に延在する溝６０の深さを減少させ、したがって半径方向に延在する溝６０の中央部分は、曲線状に延在する溝５６より浅い。半径方向に延在する溝６０は、内端２６４付近に（つまりインデックスディスク３０の中心付近に）内部段差２６２も備える。内部段差２６２は、半径方向に延在する溝６０の内端２６４と曲線状に延在する溝５６の内端２６６との接合部に沿って形成される。ディスクドライブ押圧具４８を延長位置から検査位置に向かって押すと、カムボタン５２が半径方向に延在する溝６０の傾斜部分２６０を上り、内部段差２６２を過ぎて、隣接して曲線状に延在する溝５６に入る。インデックスディスクドライブアーム５０の板ばね５４の偏倚力によって、カムボタン５２が内部段差２６２を越えて下降する。内部段差２６２は、（ディスクドライブ押圧具４８の外側への移動に関して以上で説明したように）ディスクドライブ押圧具４８の移動方向が逆転した場合に、カムボタン５２が半径方向に延在する溝６０に再入するのを防止する。
【００６６】
ディスクドライブ押圧具４８が検査位置に到達すると、第１カム従動子２３８がカム突起２４２の外端２７０を通過する。それと同時に、第２カム従動子２４０がカムばね２４８の端部上を通過し、これは第１カム従動子２３８がカム突起２４２の外端２７０に近づくにつれて上方向に、邪魔にならないように後退する。第１カム従動子２３８がカムばね２４８の端部を通過すると、カムばね２４８は下降し、ディスクドライブ押圧具４８の進行方向が逆転して、延長位置に向かって外側に引っ張られると、第２カム従動子２４０と係合して、これを上方向に案内する。特に、ディスクドライブ押圧具４８がその後に延長位置に向かって外側に引っ張られると、カムばね２４８が第２カム従動子２４０を上方向に案内し、したがって第１カム従動子２３８が上部通路２４４に入り、ナイフブレード３６が後退する。
【００６７】
以上で説明したように、ディスクドライブ押圧具４８が外側に引っ張られて、検査手順を開始する。ディスクドライブ押圧具４８が外方向に動作する間、インデックスディスクドライブアーム５０上のカムボタン５２は、インデックスディスク３０を回転するように、曲線状に延在する溝５６の１つに沿って移動する。この外方向への動作中に、ナイフブレードアセンブリ５８上の第１カム従動子２３８は上部通路２４４に沿って移動する。その結果、ナイフブレード３６がインデックスディスク３０上のナイフスロット４６から後退し、したがってインデックスディスク３０は、曲線状に延在する溝５６内のカムボタン５２の動作に応答して自由に回転する。ディスクドライブ押圧具４８が十分に延長した位置に到達すると、第１カム従動子２３８がカム突起２４２の内端２６８を通過し、ナイフブレードアセンブリ５８の揺動アーム２３０に加えられたばね２５０の偏倚力によって下部通路２４６内に案内される。
【００６８】
センサ分与機器１０を操作する前に、センサパック３００がまだ装填されていない場合、または以前に装填したセンサパック３００のセンサ３０２が全部使用されている場合は、最初にセンサパック３００をセンサ分与機器１０に装填しなければならない。センサパック３００を装填するには、下ケース２４上のラッチ７２を押下して、下ケース２４および上ケース１８を開く。図示の好ましい実施形態では、下ケース２４と上ケース１８を開くと、エラストマコネクタ１７４がオートキャルディスク１５８上の接点１６６から分離し、それによってオートキャルディスク１５８と電子機器アセンブリ６２間の電気的接続が切断される。これによってセンサパック３００内の未使用センサ３０２の数を数え続ける（電子機器アセンブリ６２の一部である）電子カウンタがゼロ（０）にリセットされる。
【００６９】
次に、インデックスディスク３０の下面２１４が図３で示すように上を向くように、開いたハウジング１２を回転する。次に、センサパック３００の周囲に沿った切欠き３２４をインデックスディスク３０上のピン４４と位置合わせすることにより、センサパック３００をインデックスディスク３０上に配置する。次に、ハウジング内にセンサパック３００を封入するように、下ケース２４を上ケース１８上へと旋回させる。下ケース２４がラッチ７２によって上ケース１８に固定されたら、センサ分与機器１０は操作する準備が整う。
【００７０】
以下は、センサ分与機器１０の操作に関する簡単な説明である。最初に、引き出し式取っ手３２を手動でハウジング１２の後端１６に隣接した待機位置（図１）から、ハウジング１２の後端１６から離れた延長位置（図６）へと引っ張る。引き出し式取っ手３２が外側に移動すると、センサ分与機器１０がＯＮに切り換えられる。引き出し式取っ手３２が外側に移動すると、インデックスディスクドライブアーム５０上のカムボタン５２も、インデックスディスク３０を１回転の１／１０回転するように、インデックスディスク３０の上面２１６にある曲線状に延在する溝５６の１つに沿って移動する。インデックスディスク３０が回転すると、センサパック３００が回転し、したがって次のセンサ空隙３０４が、ハウジング１２の検査端１４に位置合わせされた待機位置に入る。それと同時に、ナイフブレードアセンブリ５８が後退して、インデックスディスク３０の中心に向かって移動する。
【００７１】
次に、引き出し式取っ手３２が手動で延長位置（図６）から内側に引っ張られ、待機位置（図１）を過ぎて後退して、検査位置（図７）に入る。引き出し式取っ手３２が内側に移動すると、ナイフブレードアセンブリ５８が下方向に旋回し、したがってナイフブレード３６が、待機位置でセンサ空隙３０４を覆っている保護箔３１０の一部を穿孔し、センサ空隙３０４内のセンサ３０２と係合する。引き出し式取っ手３２がハウジング１２に向かって後退し続けると、ナイフブレードアセンブリ５８がセンサ３０２をセンサ空隙３０４から強制的に出して、ハウジング１２の前端１４にある検査位置に入れる。それと同時に、インデックスディスクドライブアーム５０上のカムボタン５２が半径方向に延在する溝６０の１つに沿って移動し、インデックスディスク３０の回転を防止する。
【００７２】
センサ３０２がセンサ空隙３０４から完全に排出され、ハウジング１２の前端１４から突出する検査位置に押し込まれた後、センサアクチュエータ４０はセンサ３０２と係合して、センサ３０２を検査位置に保持し、センサ３０２を電子機器アセンブリ６２と結合する。次に、センサの前端３０６を検査すべき血液の滴に挿入し、これによって電子機器アセンブリ６２で血液を分析する。分析結果は、次にセンサ分与機器１０の液晶ディスプレイ６４に表示される。
【００７３】
血液の分析が終了したら、センサアクチュエータ４０を係合解除して、センサ３０２を解放するように、上ケース１８上のボタンレリーズ６６を押下し、センサ３０２はハウジング１２の前端１４を傾けることによって下方向に廃棄することができる。
【００７４】
別の実施形態によると、血糖センサ分与機器３９０を使用することができる。図２１から図２７で示すように、センサ分与機器３９０は、上ケース１８および下ケース２４を有する外部ハウジング１２を含み、下ケース２４は上ケース１８上で旋回する。上ケース１８は、クラムシェル式に下ケース２４に対して旋回可能であり、したがってセンサパック３００（図２３および図２４参照）をハウジング１２内でインデックスディスク３０上に位置決めすることができる。センサパック３００がハウジング１２内にこのように装填された状態で、ボタン３９２を押下し、それによって全体的に数字３９４で指定されるディスクドライブ機構（図２８参照）によりセンサ３０２をハウジング１２の前端１４の検査位置に装填させることができる。センサ分与機器３９０は、モータ４００、リニアドライブシステム４１０、および動力分配システム４２０も含み、これは以下で説明するようにボタン３９２が押下されると、ディスクドライブ機構３９４によりセンサ３０２をハウジングの前端１４にある検査位置に装填させる。
【００７５】
センサ分与機器３９０を操作するには、ボタン３９２を押下し、それによってボタン３９２とモータ４００（図３０Ｂ）の間の電気接続（図示せず）を作成し、したがってモータ４００を起動する。起動すると、モータ４００はリニアドライブシステム４１０（図３０Ｂ）を移動させ、これによってディスクドライブ機構３９４がセンサパック３００を回転し、次のセンサ３０２を検査位置に装填する前に待機位置に入れる。ボタン３９２を押下すると、センサ分与機器１０もＯＮに切り換えられる（つまり回路板アセンブリ４２上の電子回路が起動する）。
【００７６】
以下でさらに詳細に説明するように、ディスクドライブ機構３９４は、インデックスディスクドライブアーム５０が装着されたディスクドライブ押圧具４８などの押圧具アセンブリを含む（図２９および図３０Ａ参照）。インデックスディスクドライブアーム５０は、板ばね５４の端部に配置されたカムボタン５２を備える。カムボタン５２は、インデックスディスク３０の上面の曲線状に延在する溝５６の１つ内を移動するように構成される。ボタン３９２が押下されるとモータ４００が起動し、これによってリニアドライブシステム４１０がディスクドライブ押圧具４８を上ケース１８の後端２２に向かって横方向に移動させる。これによってインデックスディスクドライブアーム５０上のカムボタン５２が、インデックスディスク３０を回転するように曲線状に延在する溝５６の１つに沿って移動する。インデックスディスク３０が回転すると、センサパック３００が回転し、したがって次にセンサ空隙３０４が待機位置に入る。
【００７７】
次に、リニアドライブシステム４１０がディスクドライブ押圧具４８を上ケース１８の前端１４に向かって横方向に移動させ、これによってディスクドライブ機構３９４がセンサ３０２をセンサパック３００から取り出し、センサ３０２をハウジング１２の前端１４上の検査位置に入れる。
【００７８】
次に、リニアドライブシステム４１０は、ディスクドライブ押圧具４８を上ケース１８の前端１４に向かって移動させ、さらにセンサ３０２を前方に押してセンサ開口２５４から出し、したがってセンサ３０２が機器３９０から自由になり、廃棄することができる。
【００７９】
以下でさらに詳細に説明するように、ディスクドライブ機構３９４は、ディスクドライブ押圧具４８に旋回自在に装着されたナイフブレードアセンブリ５８を含む（図２９および図３０Ａ参照）。ディスクドライブ押圧具４８が上ケース１８の後端２２に向かって横方向に移動した後、ディスクドライブ押圧具４８が次に上ケース１８の検査端または前端２０に向かって横方向に押される。これによってナイフブレードアセンブリ５８が下方向に旋回し、したがってナイフブレードアセンブリ５８の端部にあるナイフブレード３６が、センサ空隙３０４の１つを覆う保護箔３１０の一部を穿孔し、センサ空隙３０４内のセンサ３０２と係合する。ディスクドライブ押圧具４８が上ケース１８の前端２０に向かって移動し続けると、ナイフブレードアセンブリ５８がセンサ３０２を強制的にセンサ空隙３０４から出して、ハウジング１２の前端１４の検査位置に入れる。
【００８０】
ディスクドライブ押圧具４８が延長位置から検査位置へと移動する間、インデックスディスクドライブアーム５０上のカムボタン５２が半径方向に延在する溝６０の１つに沿って移動し、インデックスディスク３０の回転を防止する。同様に、ディスクドライブ押圧具４８が待機位置から延長位置へと移動する間、ナイフブレードアセンブリ５８は、インデックスディスク３０の回転を妨害しないように後退位置になる。
【００８１】
センサ３０２がセンサ空隙３０４から完全に排出され、ハウジング１２の前端１４から突出する検査位置に押し込まれた後、ディスクドライブ押圧具４８がセンサアクチュエータ４０と係合して、これをセンサ３０２に押し付け、それによってセンサ３０２を検査位置に維持する。センサアクチュエータ４０は、ボタン３９２が押下されるとセンサ３０２と係合する。センサアクチュエータ４０は、センサ３０２を上ケース１８内に配置された電子機器アセンブリ６２に結合する。電子機器アセンブリ６２は、血糖検査手順中に生成されたデータを処理かつ／または保存し、センサ分与機器３９０内の液晶ディスプレイ６４上にデータを表示するためにマイクロプロセッサなどを含む。
【００８２】
血液分析検査が終了したら、センサアクチュエータ４０を係合解除して、センサ３０２を解放するように、上ケース１８上のボタンレリーズ６６を押下する。ボタンレリーズ６６を押下すると、ディスクドライブ押圧具４８およびボタン３９２が前方に移動して、センサ３０２をセンサ開口２５４から押し出し、待機位置に戻る。この時点で、使用者は上ケース１８上のボタン９６を押下するか、センサ分与機器３９０が電子機器アセンブリ６２のタイマに従って自動的にＯＦＦに切り換われるようにすることによって、センサ分与機器３９０をＯＦＦに切り換えることができる。
【００８３】
カバー機構１８８（複数のフィンガ１４３を含む）、押圧具アセンブリ４８（１対の傾斜接点１４１を含む）、および複数の表面接点１３９は、センサ分与機器３９０内でセンサ分与機器１０に関して上述したのと同様に機能する。具体的には、カバー機構１８８、押圧具アセンブリ４８、および複数の表面接点１４１の開示は、センサ分与機器３９０ではセンサ分与機器１０において上述したものと同じである。１つの違いは、複数の傾斜接点１４１を移動させるためにセンサ分与機器１０内の引き出し式取っ手３２を使用することである。しかし、センサ分与機器３９０内でモータ４００が複数の傾斜接点１４１の起動を補助する。
【００８４】
具体的には、モータ４００を起動すると、これによって複数の傾斜接点１４１のうち少なくとも１つが複数のフィンガ１４３のうち少なくとも１つを押して、複数の底面接点１３９のうち少なくとも１つと接触させる。複数のフィンガ１４３の少なくとも１つが複数の底面接点１３９の少なくとも１つと接触すると、センサ分与機器３９０が電子的にＯＮ状態に切り換わる。
【００８５】
ディスクドライブ機構３９４は、上ケース１８の上部内面に取り付けられる。図２８で示すように、ディスクドライブ機構３９４は、上ケース１８の上部内面上のポスト（図示せず）と係合する複数の装着ねじ１８４によって、上ケースに取り付けられる。装着ねじ１８４は電子機器アセンブリ６２も通過して、これを固定し、これはディスクドライブ機構３９４と上ケース１８の間に配置される。
【００８６】
ディスクドライブ機構３９４は以下でさらに詳細に説明されているが、ディスクドライブ機構３９４は、ディスクドライブ機構３９４を上ケース１８の上部内面に装着する前に組み立てて、その操作を検査できるように構成することが好ましいことに留意されたい。つまり、ディスクドライブ機構３９４は、センサ分与機器３９０の最終的組立ての前に検査可能なモジュール式設計を有する。
【００８７】
図２９および図３０で示すように、ディスクドライブ機構３９４は案内ブロック１８２、センサアクチュエータ４０、ハウジングガイド１８６、ディスクドライブ押圧具４８、インデックスディスクドライブアーム５０、ナイフブレードアセンブリ５８、カバー機構１８８、およびボタンレリーズ６６を備える。ハウジングガイド１８６は、１つまたは複数のピン１９２によって案内ブロック１８２の（図２９で見て）上面１９０に固定される。ディスクドライブ押圧具４８は、ディスクドライブ押圧具４８がハウジングガイド１８６および案内ブロック１８２に対して横方向に滑動できるような方法で、ハウジングガイド１８６および案内ブロック１８２上に支持される。ナイフブレードアセンブリ５８は、ディスクドライブ押圧具４８の下側に旋回自在に接続され、ハウジングガイド１８６および案内ブロック１８２によって案内される。インデックスディスクドライブアーム５０もディスクドライブ押圧具４８に接続され、案内ブロック１８２によって部分的に案内される。カバー機構１８８は、ディスクドライブ押圧具４８とハウジングガイド１８６が間に配置された状態で、案内ブロック１８２に取り付けられる。センサアクチュエータ４０は、案内ブロック１８２に取り付けられ、ディスクドライブ押圧具４８が検査位置にある場合は、ディスクドライブ押圧具４８の前端２０４と係合する。ボタンレリーズ６６は、ディスクドライブ押圧具４８が検査位置にある場合にディスクドライブ押圧具４８の前端２０４と係合するように、カバー機構１８８に滑動自在に接続する。
【００８８】
図２９、図３０Ａ、図３０Ｂおよび図３０Ｃで示すように、モータ４００、リニアドライブシステム４１０、および動力配分システム４２０によって、ディスクドライブ機構３９４は、以下で説明するようにボタン３９２が押下されるとセンサ３０２をハウジング１２の前端１４の検査位置に自動的に装填する。モータ４００はＤＣモータなどの伝導モータであることが好ましいが、モータ４００は、直線運動または回転運動を提供可能な当業者に知られる任意の装置でよい。モータ４００は、ボタン３９２が押下されると起動される。ボタン３９２はモータ４００に電子的に接続され、ハウジング１２のどこかに配置することができる。制御ユニット（図示せず）がモータ４００の速度および方向を制御する。モータ４００は、図３０Ｂおよび図３０Ｃで示すようにシャフト４０２を回転することにより回転運動を提供する。制御ユニット（図示せず）はシャフト４０２の速度および方向を制御することが好ましい。モータ４００は（図３０Ｂおよび図３０Ｃで見て）動力配分システム４２０に取り付けられる。１つの実施形態では、モータ４００のシャフト４０２が動力配分システム４２０に接続される。動力配分システム４２０はモータ４００およびリニアドライブシステム４１０に接続される。動力配分システム４２０は、モータによって提供された動力をリニアドライブシステム４１０に配分し、モータ４００によって提供された直線運動または回転運動を図３０Ｂおよび図３０Ｃで示すようにリニアドライブシステムの直線運動に変換する。動力配分システムは、一連の歯車を通して回転速度を減速することにより、モータの動力を階段状に上昇させることもする。リニアドライブシステム４１０はディスクドライブ機構３９４および動力配分システム４２０に接続され、リニアドライブシステム４１０はモータ４００が起動されるとディスクドライブ機構３９４を移動させる。リニアドライブシステム４１０はディスクドライブ機構３９４の押圧具４８に接続し、モータ４００が起動されると押圧具４８を移動させることが好ましい。
【００８９】
１つの実施形態では、動力配分システム４２０は図３０Ｂで示すようにモータ４００からリニアドライブシステム４１０へと動力を配分し、運動を変換するために、少なくとも１つの歯車４２２を含む。一連の歯車４２２を使用して、図３０Ｂで示すようにモータ４００からリニアドライブシステム４１０へと動力を配分し、運動を変換することが好ましい。リニアドライブシステム４１０は親ねじ４１２および親ねじ４１２上にねじ込まれるナット４１４を含み、ナット４１４はディスクドライブ押圧具４８に接続し、親ねじ４１２が回転するとこれを移動させる。１つの実施形態では、親ねじ４１２は二重螺旋ねじであり、これによって親ねじおよびモータが２方向ではなく１方向のみに回転し、ディスクドライブ押圧具４８を待機位置から延長位置へ、および延長位置から検査位置へと移動させることができる。親ねじは、図３０Ｂで示すように親ねじコネクタ４２６を通して歯車４２２に接続される。少なくとも１つの歯車４２２がシャフト４０２に接続され、第２歯車４２２が図３０Ｂで示すように親ねじコネクタ４２６に接続されることが好ましい。
【００９０】
１つの実施形態では、動力配分システム４２０は、図３０Ｃで示すようにモータ４００からリニアドライブシステム４１０へと動力を配分し、運動を変換するために少なくとも１つのローラ４２４を含む。ローラ４２４はシャフト４０２に接続される。リニアドライブシステム４１０は、ベルト４１６およびベルトに接続された接続部材４１８を含む。ベルト４１６は、図３０Ｃで示すようにローラ４２４に巻き付けられる。モータ４００が起動されると、ローラ４２４が回転し、ベルト４１６を動作させる。接続部材４１８はディスクドライブ押圧具４８に接続される。したがって、ベルト４１６が動作すると、ディスクドライブ押圧具４８も移動する。
【００９１】
図２６を参照すると、ディスクドライブ押圧具４８は十分に延長した位置にある（図２６参照）。ハウジング１２の後端１６に到達すると、押圧具４８は次に方向を変化させ、内側に戻り、待機位置（図２１）を過ぎて検査位置（図２７）に入る。以前に示したように、押圧具４８が内側に移動すると、ディスクドライブ機構３９４がセンサ３０２をセンサパック３００から取り出し、センサ３０２を検査位置にする。
【００９２】
以下はセンサ分与機器３９０の操作の簡単な説明である。最初に、ボタン３９２を押下すると、これによってセンサ分与機器３９０がＯＮに切り換えられ、インデックスディスクドライブアーム５０上のカムボタン５２が、インデックスディスク３０を１回転の１／１０回転するように、インデックスディスク３０の上面２１６にある曲線状に延在する溝５６の１つに沿って移動する。インデックスディスク３０が回転すると、センサパック３００が回転し、したがって次のセンサ空隙３０４が、ハウジング１２の検査端１４に位置合わせされた待機位置に入る。それと同時に、ナイフブレードアセンブリ５８が後退して、インデックスディスク３０の中心に向かって移動する。
【００９３】
次に、押圧具４８がハウジング１２の後端１６から離れ、これによってナイフブレードアセンブリ５８が下方向に旋回し、したがってナイフブレード３６が、待機位置でセンサ空隙３０４を覆っている保護箔３１０の一部を穿孔し、センサ空隙３０４内のセンサ３０２と係合する。押圧具４８がハウジング１２の後端１６から離れ続けると、ナイフブレードアセンブリ５８がセンサ３０２をセンサ空隙３０４から強制的に出して、ハウジング１２の前端１４にある検査位置に入れる。それと同時に、インデックスディスクドライブアーム５０上のカムボタン５２が半径方向に延在する溝６０の１つに沿って移動し、インデックスディスク３０の回転を防止する。
【００９４】
センサ３０２がセンサ空隙３０４から完全に排出され、ハウジング１２の前端１４から突出する検査位置に押し込まれた後、センサアクチュエータ４０はセンサ３０２と係合して、センサ３０２を検査位置に保持し、センサ３０２を電子機器アセンブリ６２と結合する。次に、センサの前端３０６を検査すべき血液の滴に挿入し、これによって電子機器アセンブリ６２で血液を分析する。分析結果は、次にセンサ分与機器３９０の液晶ディスプレイ６４に表示される。
【００９５】
血液の分析が終了したら、リニアドライブシステム４１０がディスクドライブ押圧具４８を上ケース１８の前端１４に向かって移動させ、さらにセンサ３０２を前方に押してセンサ開口２５４から出し、したがってセンサ３０２が機器３９０から自由になり、廃棄することができる。次に、リニアドライブシステム４１０がナイフブレード３６を待機位置に戻す。
【００９６】
本発明を図示の実施形態の詳細に関して説明してきたが、これらの詳細は添付の特許請求の範囲で定義されたような本発明の範囲を限定することが想定されてはいない。例えば、センサ分与機器１０または３９０は、血糖以外の流体の検査に使用することができる。実際、センサ分与機器１０または３９０は、試薬材料によって分析可能な任意のタイプの化学物質流体の分析に関連して使用することができる。
【図面の簡単な説明】
【００９７】
【図１】血糖センサ分与機器の上斜視図である。
【図２】図１の血糖センサ分与機器の底斜視図である。
【図３】開位置にあってセンサパックの挿入を示す、図１の血糖センサ分与機器の斜視図である。
【図４】開位置にあってインデックスディスク上に装填されたセンサパックを示す、図１の血糖センサ分与機器の斜視図である。
【図５】ボタン隠しドアが開位置にある状態で図示された図１の血糖センサ分与機器の上斜視図である。
【図６】ディスクドライブ押圧具が延長位置にある状態にある図１の血糖センサ分与機器の上斜視図である。
【図７】ディスクドライブ押圧具が検査位置にあり、センサがセンサ開口から突出した状態の図１の血糖センサ分与機器の上斜視図である。
【図８】図１の血糖センサ分与機器で使用するセンサの上斜視図である。
【図９】センサパックのベース部分から分離された保護箔を示す、図１の血糖センサ分与機器で使用するセンサパックの組立て分解斜視図である。
【図１０】図１の血糖センサ分与機器の構成要素サブアセンブリの組立て分解斜視図である。
【図１１】図１の血糖センサ分与機器の上ケースサブアセンブリの構成要素部品の組立て分解斜視図である。
【図１２】図１の血糖センサ分与機器の下ケースサブアセンブリの構成要素部品の組立て分解斜視図である。
【図１３】図１の血糖センサ分与機器のディスクドライブ機構およびインデックスディスクサブアセンブリの構成要素部品の組立て分解上斜視図である。
【図１４】図１の血糖センサ分与機器のディスクドライブ機構およびインデックスディスクサブアセンブリの構成要素部品の組立て分解底斜視図である。
【図１５】図１の血糖センサ分与機器のバッテリトレイサブアセンブリの構成要素部品の組立て分解斜視図である。
【図１６】図１の血糖センサ分与機器の電子機器アセンブリの構成要素部品の組立て分解斜視図である。
【図１７】図１の血糖センサ分与機器の電子機器サブアセンブリの上斜視図である。
【図１８ａ】図１の血糖センサ分与機器の電子機器サブアセンブリの底斜視図である。
【図１８ｂ】図１８ａの底面接点の拡大図である。
【図１９ａ】１つの実施形態によるカバー機構の上斜視図である。
【図１９ｂ】図１９ａの区域１９ｂの拡大図である。
【図１９ｃ】１つの実施形態による複数のフィンガの上斜視図である。
【図２０】１つの実施形態による押圧具アセンブリの上斜視図である。
【図２１】別の実施形態による血糖センサ分与機器の上斜視図である。
【図２２】図２１の血糖センサ分与機器の底斜視図である。
【図２３】開位置にあってセンサパックの挿入を示す、図２１の血糖センサ分与機器の斜視図である。
【図２４】開位置にあってインデックスディスク上に装填されたセンサパックを示す、図２１の血糖センサ分与機器の斜視図である。
【図２５】ボタン隠しドアが開位置にある状態で示された、図２１の血糖センサ分与機器の上斜視図である。
【図２６】ディスクドライブ押圧具が延長位置にある状態の図２１の血糖センサ分与機器の上斜視図である。
【図２７】ディスクドライブ押圧具が検査位置にあり、センサがセンサ開口から突出した状態の図２１の血糖センサ分与機器の上斜視図である。
【図２８】図２１の血糖センサ分与機器の構成要素サブアセンブリの組立て分解斜視図である。
【図２９】図２１の血糖センサ分与機器のディスクドライブ機構およびインデックスディスクサブアセンブリの構成要素部品の組立て分解上斜視図である。
【図３０Ａ】図２１の血糖センサ分与機器のディスクドライブ機構およびインデックスディスクサブアセンブリの構成要素部品の組立て分解底斜視図である。
【図３０Ｂ】別の実施形態による図２１の血糖センサ分与機器のディスクドライブ機構の構成要素部品の斜視図である。
【図３０Ｃ】別の実施形態による図２１の血糖センサ分与機器のディスクドライブ機構の構成要素部品の斜視図である。
【図１】
2008503729.tif 000003
【図２】
2008503729.tif 000004
【図３】
2008503729.tif 000005
【図４】
2008503729.tif 000006
【図５】
2008503729.tif 000007
【図６】
2008503729.tif 000008
【図７】
2008503729.tif 000009
【図８】
2008503729.tif 000010
【図９】
2008503729.tif 000011
【図１０】
2008503729.tif 000012
【図１１】
2008503729.tif 000013
【図１２】
2008503729.tif 000014
【図１３】
2008503729.tif 000015
【図１４】
2008503729.tif 000016
【図１５】
2008503729.tif 000017
【図１６】
2008503729.tif 000018
【図１７】
2008503729.tif 000019
【図１８ａ】
2008503729.tif 000020
【図１８ｂ】
2008503729.tif 000021
【図１９ａ】
2008503729.tif 000022
【図１９ｂ】
2008503729.tif 000023
【図１９ｃ】
2008503729.tif 000024
【図２０】
2008503729.tif 000025
【図２１】
2008503729.tif 000026
【図２２】
2008503729.tif 000027
【図２３】
2008503729.tif 000028
【図２４】
2008503729.tif 000029
【図２５】
2008503729.tif 000030
【図２６】
2008503729.tif 000031
【図２７】
2008503729.tif 000032
【図２８】
2008503729.tif 000033
【図２９】
2008503729.tif 000034
【図３０Ａ】
2008503729.tif 000035
【図３０Ｂ】
2008503729.tif 000036
【図３０Ｃ】
2008503729.tif 000037
【国際調査報告】
2008503729.tif 000038
2008503729.tif 000039
2008503729.tif 000040